(57)【要約】【化１】2004525359.tif 000006本発明は生物学的または水性試料中のアンフェタミン(ＡＰＭ)、メタンフェタミン(ＭＡＰＭ)およびそれらの誘導体などの規制薬物の検出のための免疫測定における新規トレーサーおよびそれらの合成および使用に関する。具体的には、本発明は、非規制薬物がトレーサー合成の出発物質および抗体に関して得られた新規トレーサー上の結合部位の両方であり、それによって、出発物質として規制薬物の使用の必要性を排除することができる新規トレーサーの合成方法を提供する。さらに、本発明の新規トレーサーは連続流動置換免疫測定法などの免疫測定法における分析物類似体として用いることができる。意外にも、本発明の新規トレーサーが、従来設計されたトレーサーと比較して、連続流動置換免疫測定法の性能を実質的に改善することが判明した。【特許請求の範囲】
【請求項１】
Ｆig.５に記載の一般式：
【化１】
2004525359.tif 000002
[式中、
(a)ｎは、２、３および４からなる群から選ばれる数であり;
(b)Ｒは、−(ＣＨ2)n−およびＣ(Ｏ)−(ＣＨ2)nＣＯからなる群から選ばれる基であり;
(c)Ｘは、Ｏ、ＮＨ、ＣＯ、ＨＮＣＳＮＨ、ＣＨ2、ＳおよびＳＯ2からなる群から選ばれる基であり；
(d)Ｚは、アミンおよびカルボキシルからなる群から選ばれる基であり；
(e) * は、標識である]
で示される、試料中のアンフェタミンおよびその誘導体の存在または含有量の検出のための免疫測定法に使用するための合成トレーサー。
【請求項２】
Ｆig.６に記載の一般式：
【化２】
2004525359.tif 000003
[式中、
(a)ｎは、２、３および４からなる群から選ばれる数であり;
(b)Ｒは、−(ＣＨ2)n−およびＣ(Ｏ)−(ＣＨ2)nＣＯからなる群から選ばれる基であり;
(c)Ｘは、Ｏ、ＮＨ、ＣＯ、ＨＮＣＳＮＨ、ＣＨ2、ＳおよびＳＯ2からなる群から選ばれる基であり；
(d)Ｚは、アミンおよびカルボキシルからなる群から選ばれる基であり；
(e) * は、標識である]
で示される、試料中のアンフェタミンおよびその誘導体の存在または含有量の検出のための免疫測定法に使用するための合成トレーサー。
【請求項３】
Ｆig.７に記載の一般式：
【化３】
2004525359.tif 000004
[式中、
(a)ｎは、２、３および４からなる群から選ばれる数であり;
(b)Ｒは、−(ＣＨ2)n−およびＣ(Ｏ)−(ＣＨ2)nＣＯからなる群から選ばれる基であり;
(c)Ｘは、Ｏ、ＮＨ、ＣＯ、ＨＮＣＳＮＨ、ＣＨ2、ＳおよびＳＯ2からなる群から選ばれる基であり；
(d)Ｚは、アミンおよびカルボキシルからなる群から選ばれる基であり；
(e) * は、標識である]
で示される、試料中のアンフェタミンおよびその誘導体の存在または含有量の検出のための免疫測定法に使用するための合成トレーサー。
【請求項４】
Ｆig.８に記載の一般式：
【化４】
2004525359.tif 000005
[式中、
(a)ｎは、２、３および４からなる群から選ばれる数であり;
(b)Ｒは、−(ＣＨ2)n−およびＣ(Ｏ)−(ＣＨ2)nＣＯからなる群から選ばれる基であり;
(c)Ｘは、Ｏ、ＮＨ、ＣＯ、ＨＮＣＳＮＨ、ＣＨ2、ＳおよびＳＯ2からなる群から選ばれる基であり；
(d)Ｚは、アミンおよびカルボキシルからなる群から選ばれる基であり；
(e)* は、標識である]
で示される、試料中のアンフェタミンおよびその誘導体の存在または含有量の検出のための免疫測定法に使用するための合成トレーサー。
【請求項５】
標識が、フルオロフォア、発色団、放射性標識、金属性コロイド、酵素または化学発光もしくは生物発光分子からなる群から選ばれる、請求項１〜４のいずれか１項記載の合成トレーサー。
【請求項６】
標識が、Ｆig.３および４に記載の蛍光染料であり、式中:
(a)ｍが、０、１、２、３および４からなる群から選ばれ数であり;および
(b)Ｘが、ＯＳuおよびＥＤＡからなる群から選ばれる基である、
請求項１〜４のいずれか１項記載の合成トレーサー。
【請求項７】
試料中のアンフェタミンおよびその誘導体の存在および含有量の測定方法であって、工程：
(a)アンフェタミンの固相−固定抗体を準備し、
(b)抗体の抗原結合部位を、請求項１〜４のいずれか１項に記載の合成トレーサーに暴露させ、固相−固定・標識合成トレーサー−抗体複合体(ここで、抗体の抗原結合部位が標識合成トレーサーで飽和されている)を形成させ、
(c)アンフェタミンを含む疑いのある試料を、固相−固定・標識抗原−抗体複合体を通過して非平衡条件下連続して流し、および
(d)置換された請求項１〜４のいずれか１項に記載の標識合成トレーサーを検出し、上記置換された標識合成トレーサーの量が、試料中の上記アンフェタミンの濃度に直接比例している
を含むことを特徴とする方法。
【請求項８】
試料が、唾液、全血、血清、血漿または尿などの生物学的試料である、請求項７記載の方法。
【請求項９】
試料が、水性試料である、請求項７記載の方法。
【請求項１０】
特異的抗体が、アンフェタミンおよびそれらの誘導体に特異的なモノクローナル抗体またはポリクローナル抗体である、請求項７記載の方法。
【請求項１１】
Ｆig.９に記載の化合物を含むことを特徴とする、試料中のアンフェタミンおよびその誘導体の存在または含有量の検出のための免疫測定法に使用するための合成トレーサー。
【請求項１２】
Ｆig.１０に記載の化合物を含むことを特徴とする、試料中のアンフェタミンおよびその誘導体の存在または含有量の検出のための免疫測定法に使用するための合成トレーサー。
【請求項１３】
トレーサーがＦig.２に記載のフェニルアルキルアミン(ここで、ｎ＞１)を含むことを特徴とする、試料中にアンフェタミンおよびその誘導体の存在または含有量の検出のための免疫測定法に使用するための合成トレーサー。
【発明の詳細な説明】
【技術分野】
【０００１】
本発明は生物学的または水性試料中のアンフェタミン(ＡＰＭ)、メタンフェタミン(ＭＡＰＭ)およびそれらの誘導体などの規制薬物の検出のための免疫測定における新規トレーサーおよびそれらの合成および使用に関する。具体的には、非規制薬物がトレーサー合成の出発物質および抗体に関して得られた新規トレーサー上の結合部位の両方であり、それによって、出発物質として規制薬物の使用の必要性を排除することができる新規トレーサーの合成方法を提供する。さらに、本発明の新規トレーサーは連続流動置換免疫測定法(continuous flow displacement immunoassay)などの免疫測定法における分析物類似体として用いることができる。連続流動置換免疫測定法は、最初に固定抗体が標識分析物類似体で飽和され、標識分析物類似体が試験試料中の分析物によって置換され、ついで置換された標識分析物類似体を測定するという原理によって行われる。意外にも、本発明の新規トレーサーが、従来設計されたトレーサーと比較して、連続流動置換免疫測定法の性能を実質的に改善することがわかった。
【背景技術】
【０００２】
アンフェタミンおよびメタンフェタミンはフェニルエチルアミンとして知られている化合物の誘導体である。アンフェタミンおよびメタンフェタミンは両方とも中枢神経および末梢神経系の交感神経部位の刺激剤である。他の刺激剤と同様に、アンフェタミンまたはメタンフェタミン摂取の短期効果は心拍数の増加、血圧上昇、食欲減退、瞳孔散大、幸福および能力感、疲労感の減少を含む。それらの刺激作用がこれらの化合物が濫用され違法に販売される理由である。
【０００３】
よくあるアンフェタミンおよびメタンフェタミンの濫用のために、生物学的標本中のこれらの薬物の存在を検出する非−侵襲的で迅速な試験法の必要性が増大している。過去において、生物学的試料中のアンフェタミンは、薄層クロマトグラフィー(TLC)、高速液体クロマトグラフィー(HPLC)およびガスクロマトグラフィー／質量分析(GC/MS)などの多数の技法のよって検出されてきた。これらの試験方法は一般に、時間がかかり、検出感度が低い(Vapatalo, H. K. S,およびSenius, K. E., Comparison of Saliva and Urine Samples in Thin-Layer Chromatographic Detection of Central Nervous System Stimulants, Intl. J. Clin. Pharmacol. Res., 4: 5-8 (1984), Cook, C. E.ら, Pharmacokinetics of Metannphetamine Self-administered to Human Subjects by Smoking s-(+)- Metannphetamine hydrochloride, Drug Metab. Dispos., 21: 717-723 (1993), Suzuki, S.ら、Analysis of Metannphetamine in Hair, Nail, Sweat, and Saliva by Mass Fragmentography, J. Anal. Toxicol., 13: 176-178 (1989)参照、これらをここに引用してこの明細書の記載とする)。さらに、ＴＬＣ、ＨＰＬＣおよびＧＣ／ＭＳには高度の熟練者を必要とするので行うのが困難である。免疫測定法は、アンフェタミンおよびメタンフェタミンの検出および定量のために、ＴＬＣ、ＨＰＬＣおよびＧＣ／ＭＳの使用に代わる好ましい方法を提供してきた。具体的には、免疫測定法は感度、効率を改善し、より労働集約的でない。尿中のアンフェタミンおよびメタンフェタミンの検出のための多数の検出免疫測定法技術が開発されてきた(Brynesら、 EPO # 279,213 B1, Huら、EPO # 371,422 A2,およびHelmanら、EPO # 371,253 A2参照、これらのすべての記述をここに引用してこの明細書の記載とする)。さらに、連続流動置換免疫測定法(continuous flow displacement immunoassay)は唾液および尿における濫用薬物の有用かつ迅速な検出方法であることが示されている(Hao Yu ら, Use of the USDT Flow Immunosensor for Quantitation of Benzolecgonine in Urine, Biosensors and Bioelectronics, 725-734 (1996); Nam, D.ら, Programme and Abstracts of TIAFT 2000 at Helsinki, 2000; Liang, G.ら、Proc. of ICADTS 2000, Jun. 22-26, 2000参照、これらのすべての記述をここに引用してこの明細書の記載とする)。
【０００４】
本発明に用いられるトレーサーは免疫測定法に用いられる標識抗体またはヘプタンであり、抗体の抗原結合部位について当該特定の物質(分析物)と競合する。トレーサーは標識された被検出分析物と同じ抗原またはヘプタンであってもよいし、または、構造的に分析物と関連し、選択された抗体に対して望ましい交差反応をするように修飾されていてもよい。連続流動置換免疫測定法において、例えば、結合親和性を減少させる標識抗原またはヘプタンに対する修飾は事実置換反応を促進し、その結果、系の感度を上げる。禁制薬物の検出のために、多くの免疫測定法は一般に禁制薬物自体を、すなわち、標識アンフェタミンおよびメタンフェタミンを、試料中のこれらの物質の存在および含有量の検出のためのトレーサーとして用いる。これら薬物は規制されているから、研究室でのそれらの使用には、一連の操作手順および事務処理が伴う。最近、アンフェタミンおよびメタンフェタミントレーサー合成における出発物質として非−規制薬物の使用が報告されている(Heiman, D.ら, EP 0 371 233 A2)が、合成された最終トレーサーは、やはりアンフェタミン抗体の結合部位としてアンフェタミン分子自体を含んでいる。
【０００５】
Ｆig.１に示すように、トレーサーの合成には種々の方法がある。トレーサー合成の通常の方法の１つは、出発物質として、アンフェタミンおよびメタンフェタミンなどの禁制薬物の使用を含む(Salamamone, S.ら, EP 0 386 644 A2)。これらの出発物質は複数の合成工程を経て、薬物ベースのトレーサーを得る(Ｆig.１、方法Ａ参照)。トレーサー合成の別法は非−規制薬物を出発物質として使用し、薬物ベースのトレーサーを得るものである(Heiman, D. F. ら, EP 0 371 233 A2)(Ｆig.１、方法Ｂ参照)。これら２つの方法において、合成経路は出発物質、中間体または最終製造トレーサーとして禁制薬物を含む。
【０００６】
本発明は、非−規制薬物から製造され、トレーサーとして標識非−規制薬物を生成する新規な１組のトレーサーの合成方法を提供する(Ｆig.１、方法Ｃ参照)。これらの非−規制薬物ベースのトレーサーの合成は、合成過程のいずれの段階でも禁制薬物の製造を含まない。本発明者らはこれらの新規トレーサーが生物学的または水性試料中のアンフェタミンおよびメタンフェタミンの存在および／または含有量を検出する免疫測定法での使用に理想的であるとの知見を得た。本発明者らは、免疫測定法系において抗体が生物学的試料中の分析物より低い親和性のトレーサーに結合する限り、特定の標識分析物自体(すなわち、アンフェタミン)をトレーサーにする必要がないことを知った。本発明の新規トレーサーは特に連続流動置換免疫測定法に有効である。
【発明の開示】
【０００７】
発明の要約
本発明は、生物学的または水性試料中のアンフェタミン(ＡＰＭ)、メタンフェタミン(ＭＡＰＭ)およびそれらの誘導体の検出のための免疫測定法における使用に適した新規組成物に関する。本発明で開発されたトレーサー合成方法は、トレーサー合成の出発物質または生成物として禁制薬物、すなわち、アンフェタミンおよびメタンフェタミンを排除する。これらの非−薬物ベースのトレーサーは特に連続流動置換免疫測定法に有用である。本発明は新規トレーサーの合成方法および生物学的試料におけるフェニルエチルアミン誘導体の検出および定量のための蛍光免疫測定法におけるこれらのトレーサーの使用に関する。
【０００８】
Ｆig.２はアンフェタミンおよびメタンフェタミンの基本構造を示す。アンフェタミンおよびメタンフェタミンは本発明の免疫測定法において検出され得る分析物の例である。アンフェタミンはｎ値が１である。本発明のトレーサーはｎ値が１より大である。好ましいトレーサーはｎ値が２またはそれより大である。Ｆig.３および４は本発明のトレーサー合成に用いられ得る通常の蛍光標識を示す。
【０００９】
本発明の具体例において、合成新規トレーサーは、標識された１−メチル−３−フェニルアルキルアミンであり、Ｆig.５に示される化合物である。
【００１０】
本発明の別の具体例において、合成新規トレーサーはＮ−標識−１−メチル−３−フェニルアルキルアミンであり、Ｆig.６に示される化合物である。
【００１１】
本発明の別の具体例において、合成新規トレーサーは標識Ｎ−メチル−１−メチル−３−フェニルアルキルアミンであり、Ｆig.７に示される化合物である。
【００１２】
本発明の別の具体例において、合成新規トレーサーはＮ−標識Ｎ−メチル−１−メチル−３−フェニルアルキルアミンであり、Ｆig.８に示される化合物である。
【００１３】
本発明の好ましい具体例において、合成新規トレーサーは、パラ−ヘミスクシニト−１−メチル−３−フェニルアルキルアミン−Ｎ−トリフルオロアセトアミドのスクシニジル活性エステルとＣy５ＥＤＡとの反応生成物であり、Ｆig.９および１０に示される化合物である。この好ましいトレーサーは実施例IIに記載の方法によって合成される。
【００１４】
好ましい具体例の詳細な記載
本発明は生物学的試料中のアンフェタミン、メタンフェタミンおよびそれらの誘導体の存在および／または含有量を検出するための蛍光免疫測定法における使用のための組成物および化合物の合成方法を提供する。生物学的試料中のアンフェタミンおよびメタンフェタミンの検出のための組成物またはトレーサーは特に連続流動置換免疫測定法に適している。
【００１５】
連続流動置換免疫測定法において、分析物および抗体の動態学的性質は重要な役割を果たす。分析物は免疫測定法で試験される物質である。例えば、本発明においては、分析物はアンフェタミンまたはメタンフェタミンであってもよい。抗体は分析物を認識し、分析物に特異的に結合し得る。トレーサーは抗体に対する結合について分析物と競合し得る標識された化合物である。本発明は、３つの部分を有するトレーサーを用いる。すなわち、抗体に結合する部位、結合基および標識である。抗体に結合する分析物上の部位は通常抗体に結合するトレーサー上の部位と類似している。言いかえれば、もし、分析物がアンフェタミンのとき、アンフェタミンに対する抗体は分析物上で認識するのと同じトレーサー上の結合部位を認識する。
【００１６】
典型的な連続流動置換免疫測定法は、アンフェタミンまたはメタンフェタミンに対する固−相固定抗体を含む。抗体の抗原結合部位は合成標識トレーサーに暴露され、標識合成トレーサー−抗体複合体を形成する。抗体は抗体の抗原結合部位が標識合成トレーサーで飽和されるようにトレーサーに暴露される。ついで、分析物であるアンフェタミンまたは メタンフェタミンを含有する疑いのある生物学的試料が連続して固−相固定抗体−標識合成トレーサー複合体を通過して行く。もし、試料中に分析物が存在すると、分析物は抗体に結合し、標識合成トレーサーと置換される。従って、結合点より下流での標識トレーサーの検出は、生物学的試料中の分析物の存在および含有量を示す(Liglerら、U.S. Pat. No. 5,183,740、記載のすべてをここに引用してこの明細書の記載とする)。
【００１７】
連続流動置換免疫測定法ベースの生成物の開発の成功は、抗体からの結合トレーサーのすばやい解離速度を達成し、それによって分析物の迅速な結合を可能にする抗体およびトレーサーの選択による。一般に、理想的な連続流動置換免疫測定法は、抗体が分析物に対して高い親和性を有し、トレーサーに対してはより低い親和性を有する系を用いる。抗体が分析物に対して高い親和性を有し、トレーサーに対してはより低い親和性を有するというこの組合せはより迅速な置換を促進する。本発明において、トレーサーは下記の性質を有する：抗体に対するトレーサーの親和性は、２０−１００％の範囲のいずれでもよい。好ましいトレーサーは、抗体に対して約４０−８０％交差−反応性を有する。本発明の目的のために、トレーサーが構造的に分析物であるアンフェタミンまたはメタンフェタミンに関連することは重要ではない。トレーサーのリガンド−結合部位が抗体と２０−１００％の交差−反応性を有する限り、免疫測定法、具体的には、連続流動置換免疫測定法における使用に適している。アンフェタミンおよびメタンフェタミンに対する抗体の多くはフェニルエチルアミン誘導体を認識する。本発明のトレーサーは、抗体がフェニルエチルアミン類似体を認識し得るかぎり有用である。分析物に対する構造的類似性は問題ではない。この特徴、トレーサーと分析物との間の構造的非類似性は、本発明のトレーサーと先行技術のトレーサーを差別化するものである。
【００１８】
トレーサーの標識は、当分野に公知の従来の方法によって行うことができる。標識そのものは、適切には、フルオロフォア、発色団、放射性標識、金属性コロイド、酵素または化学発光もしくは生物発光分子であってもよい。適切なフルオロフォアsおよび発色団は、R. P. Haugland, Molecular Probes, Handbook of Fluorescent Probes and Research Chemicals, 5thEd., Molecular Probes, Inc., Eugene, Oreg., 1992に記載されており、ここに引用して明細書の記載とする。好ましいフルオロフォアの例には、フルオレセイン、ローダミンおよびスルフォインドシアニン染料、Ｃy５(Mujumdar, R. B.ら、Bioconjugate Chemistry, vol. 4, p. 105 (1992))が含まれる。
【００１９】
本発明の使用に用い得る広範囲の抗体は市販されている(例えば、Omega Biologicals, Inc., 910 Technology Blvd., Bozeman, Mont.から)かまたは、文献から入手できる製造方法の記載から製造することができる。モノクローナルまたはポリクローナル抗体などの抗体は、市販されているか、文献に記載されており、広範囲の標的物質の同定のために本発明の方法に採用または適合し得る。
【００２０】
この方法は、これらに限定されないが、水、血液、血漿、血清または尿を含む生物学的または水性試料の特定の成分を検出するために用いることができる。唾液は、濫用薬物の検出および測定のための有効な試験材料であることが示されている("Saliva as a Diagnostic Fluid", Ed by D. Malamud and L. Tabak, Annals of the New York Academy of Sciences, 1993, V. 694.)。例えば、唾液試料中のメタンフェタミンは、最終投与２日後までＧＣ／ＭＡＳＳによって検出することができる(S. Suzuki, T. Inoue and S. Inayama, Analysis of methanphetamine in hair, nail, sweat, and saliva by mass fragmentography, J. Anal. Toxicol. 1989, 13, 176-178.)。
【００２１】
下記の実施例は本発明の実施に用い得る具体的な技術を含む本発明の具体的な適用を詳述するために記載されている。これらの具体的な実施例は適用に記載されたものに本発明の範囲を限定するものではない。
【実施例】
【００２２】
実施例１
標識トレーサーの一般的製造方法
ｐ'、ｏ'およびｍ'−置換トレーサー合成のフローチャートがＦig.１２に記載されている。製造工程の詳細な記述は以下の通りである。
【００２３】
Ａ.パラ、メタおよびオルト−ニトロアンフェタミン−Ｎ−トリフルオロアセトアミドの製造および分離
トリフルオロ無水酢酸０.７ mLをアセトニトリル １mL中パラ−、メタ−およびオルト−ニトロアンフェタミンの混合物０.４ gの溶液に０℃にてゆっくりと添加した。得られた混合物を０℃にて１時間攪拌し、冷蔵庫中で４℃にて一夜維持した。揮発物質を除去し、粗生成物をシリカゲルカラムにかけ、１：２ 酢酸エチル／ヘキサンで溶出させて精製した。この方法で、純粋なパラ−ニトロアンフェタミン−Ｎ−トリフルオロアセトアミド０.１５ g、純粋なメタ−ニトロアンフェタミン−Ｎ−トリフルオロアセトアミド０.０３ および純粋なオルト−ニトロアンフェタミン−Ｎ−トリフルオロアセトアミド０.０４ gを得た。
【００２４】
Ｂ.パラ−アミノアンフェタミン−Ｎ−トリフルオロアセトアミドの製造
製造したパラ−ニトロアンフェタミン−Ｎ−トリフルオロアセトアミド０.１５ gをエタノール８ mlに溶解した。１０％Ｐd／Ｃ ０.４ mgをこの溶液に添加した。混合物をＨ2下室温にて一夜水素添加した。触媒および溶媒を除去すると、暗緑色の残渣が得られた。得られた混合物を分取シリカ薄層クロマトグラフィーで、展開剤として１／１の酢酸エチル／ヘキサン混合物を用いて精製した。かくして、対応アミン生成物０.７５ mgを得た。
【００２５】
Ｃ.パラ−イソチオシアナトアンフェタミン−Ｎ−トリフルオロアセトアミドの製造
ジクロロメタン０.５ ml中パラ−アミノアンフェタミン−Ｎ−トリフルオロアセトアミド２５ mg の混合物を攪拌し、ＮaＨＣＯ3 １５ μlおよびチオホスゲンを混合物に添加した。得られた混合物を室温にて３０分攪拌した。ついで反応混合物をシリカプレートで精製し、パラ−イソチオシアナトアンフェタミン−Ｎ−トリフルオロアセトアミド２１ mgを得た。
【００２６】
Ｄ.パラ−イソチオシアナトアンフェタミン−Ｎ−フルオロアセトアミドとＣy５ＥＤＡのカップリング
ホウ酸緩衝液(pＨ８)０.５ ml中パラ−イソチオシアナトアンフェタミン−Ｎ−トリフルオロアセトアミド２ mgおよびＣy５ＥＤＡの混合物を室温にて４時間攪拌した。得られた溶液を直接Ｃ１８プレートにスポットし、７０／３０(v/v)メタノール/水で展開した。生成物のバンドを切り取り、メタノールで抽出した。
【００２７】
実施例II
好ましいアンフェタミン免疫測定トレーサーの製造
好ましいトレーサー合成のフローチャートがＦig.１３に記載されている。トレーサーの製造工程の詳細な記述は以下の通りである。
【００２８】
工程１:１−メチル−３−フェニルプロピルアミン−Ｎ−トリフルオロアセトアミドの製造
アセトニトリル５ ml中１−メチル−３−フェニルプロピルアミン３ gの溶液を室温にて攪拌した。トリフルオロ無水酢酸４ mLおよびピリジン１.３ mLをこの溶液に室温にて添加した。得られた反応混合物を室温にて一夜攪拌し、ついで、混合物を氷水に入れた。粗生成物を酢酸エチルで抽出し、一緒にした有機層をＮa2ＳＯ4で乾燥した。有機溶媒を除去し、１−メチル−３−フェニルプロピルアミン−Ｎ−トリフルオロアセトアミドを得た。
【００２９】
工程２:パラ−ヘミスクシニト−１−メチル−３−フェニルプロピルアミン−Ｎ−トリフルオロアセトアミドの製造
ＡlＣl3を、ジクロロメタン５ mL 中無水コハク酸０.２４ gおよび１−メチル−３−フェニルプロピルアミン−Ｎ−トリフルオロアセトアミド０.４ gの混合物に室温にて添加した。得られた混合物を０℃にて１時間攪拌し、ついで室温にて一夜放置した。３M ＨＣl水溶液５ mlを混合物に添加し、有機層を酢酸エチルで抽出した。一緒にした有機層をＮa2ＳＯ4で乾燥し、粗生成物０.５ gを得た。粗生成物をさらにシリカゲルカラムで、１：２ エチル／ヘキサンで溶出させて精製を完了した。純粋なパラ−ヘミスクシニト−１−メチル−３−フェニルプロピルアミン−Ｎ−トリフルオロアセトアミド０.３ gを得た。
【００３０】
工程３:パラ−ヘミスクシニト−１−メチル−３−フェニルプロピルアミン−Ｎ−トリフルオロアセトアミドの還元
製造したパラ−ヘミスクシニト−１−メチル−３−フェニルプロピルアミン−Ｎ−トリフルオロアセトアミド０.２ gを酢酸３ mlに溶解した。１０％Ｐd／Ｃ  ０.３ mgをこの溶液に添加した。混合物をＨ2下室温にて一夜水素添加し、触媒および溶媒を除去すると、油状の残渣が残った。得られた混合物を分取シリカＴＬＣで、展開剤として、１：１比の酢酸エチル／ヘキサンを用いて精製した。純粋な還元パラ−ヘミスクシニト−１−メチル−３−フェニルプロピルアミン−Ｎ−トリフルオロアセトアミド８３ mgを得た。
【００３１】
工程 ４:パラ−ヘミスクシニト−１−メチル−３−フェニルプロピルアミン−Ｎ−トリフルオロアセトアミドのスクシニミジル活性エステルの製造
Ｎ,Ｎ'−ジスクシンミジルカーボネート４０ mgおよびピリジン６０ μlを、アセトニトリル１ mL中パラ−ヘミスクシニト−１−メチル−３−フェニルプロピルアミン−Ｎ−トリフルオロアセトアミド４０ mgの攪拌混合物に添加した。得られた混合物を室温にて４時間攪拌した。反応混合物をシリカプレートで精製し、パラ−ヘミスクシニト−１−メチル−３−フェニルプロピルアミン−Ｎ−トリフルオロアセトアミドのスクシニミジル活性エステル２５ mgを得た。
【００３２】
工程５：パラ−ヘミスクシニト−１−メチル−３−フェニルプロピルアミン−Ｎ−トリフルオロアセトアミドのスクシニミジル活性エステルとＣy５ＥＤＡのカップリング
ホウ酸緩衝液(pＨ９)０.５ ml中パラ−ヘミスクシニト−１−メチル−３−フェニルプロピルアミン−Ｎ−トリフルオロアセトアミドのスクシニミジル活性エステル２ mgおよびＣy５ＥＤＡ２.５ mgの混合物を室温にて４時間攪拌した。得られた溶液をＣ１８プレートにかけ、７０／３０(v/v)の割合のメタノール/水で展開した。生成物のバンドを切り取り、メタノールで抽出した。カップリング生成物は好ましいアンフェタミン免疫測定トレーサーである。
【００３３】
実施例III
流動免疫測定法の操作
ライフポイント・インコーポレイテッドは、連続流動置換免疫測定法を行うための必要なポンプ、バルブ、配管、交換可能カラムおよび蛍光検出器を含む流動免疫測定法装置を開発した。アンフェタミン標準曲線を、陰性の唾液に種々の濃度のアンフェタミン(Sigma Chemicals, St. Louis, Mo.)を添加して作成した。化学薬品および緩衝液はシグマおよびアルドリッチ・カンパニーから入手した。
【００３４】
(a)試薬の製造
唾液中のアンフェタミンの存在の測定のために、特異的抗−アンフェタミンモノクローナル抗体(例えば、Omega Biologicals, Inc., Bozeman, Mont.から入手可能)を、製造業社の標準プロトコルに従ってエンフェース(Emphase)多孔性ビーズに結合または固定した。抗体−結合ビースをついで製造したＣy５−標識アンフェタミントレーサーで飽和させた。得られたトレーサー−抗体−樹脂複合体混合物を一夜４℃にて回転混合させながら放置した。複合樹脂を０.１M ＰＢＳ(10% MeOH)で安定的な基準線が得られるまで洗滌した。洗滌した樹脂を等容量の５０ mM ＰＢＳ(pH 7.4)中１５０ mMトレハロース緩衝液に添加した。樹脂を凍結−乾燥した。
【００３５】
(b)流動測定法
内直径２ mmおよび長さ１０ mmのミクロ−ポリスチレンカラムに製造した樹脂４ mgを充填した。充填したカラムをライフポイント免疫測定法装置の５つの流動導管の１つに取り付けた。カラムはラブビューソフト(Labview software, National Instruments, Inc.)で支持された自動システムで制御された適当な緩衝液で予−洗した。唾液試料５０ μlを、流速１００〜３００ μl／分で導管を通過させた。蛍光シグナルの平均強度を試料中のアンフェタミン濃度の測定のために用いた。
【００３６】
実施例IV：好ましいメタンフェタミン免疫測定トレーサーの製造
工程１:Ｎ−メチル−１−メチル−３−フェニルプロピルアミン−Ｎ−トリフルオロアセトアミドの製造
アセトニトリル１ ml中Ｎ−メチル−１−メチル−３−フェニルプロピルアミン０.４ gの溶液を攪拌した。トリフルオロ無水酢酸１ mlおよびピリジン０.６ mlをこの溶液に室温にて添加し、得られた混合物を一夜室温にて攪拌した。次に、混合物を氷水に入れた。粗生成物を酢酸エチルで抽出し、有機層を一緒にし、Ｎa2ＳＯ4で乾燥した。有機溶媒を除去して所望の生成物を得た。ＴＬＣ分析でこの生成物が次の合成工程に十分純粋であることを確認した。
【００３７】
工程２:p'−ヘミスクシニト−Ｎ−メチル−１−メチル−３−フェニルプロピルアミン−Ｎ−トリフルオロアセトアミドの製造
ＡlＣl3  ０.２ gを、ジクロロメタン５ mL 中無水コハク酸０.１ gおよびＮ−メチル−１−メチル−３−フェニルプロピルアミン−Ｎ−トリフルオロアセトアミド０.２ gの混合物に室温にて添加した。得られた混合物を２℃〜８℃にて１時間攪拌し、ついで室温にて一夜放置した。３M ＨＣl水溶液２ mlを混合物に添加し、生成物を酢酸エチルで抽出した。有機層を一緒にし、Ｎa2ＳＯ4で乾燥し、粗生成物０.２ gを得た。粗生成物をさらにシリカゲルカラムで、エチル／ヘキサン(１：２)で溶出させて精製を完了し、純粋な生成物０.１２ gを得た。
【００３８】
工程３:パラ−ヘミスクシニト−Ｎ−メチル−１−メチル−３−フェニルプロピルアミン−Ｎ−トリフルオロアセトアミドの還元
製造したパラ−ヘミスクシニト−１−メチル−３−フェニルプロピルアミン−Ｎ−トリフルオロアセトアミド０.２ gを酢酸３ mlに溶解した。１０％Ｐd／Ｃ ０.３ mgをこの溶液に添加した。混合物をＨ2下室温にて一夜水素添加した。触媒および溶媒を除去し、油状の残渣を得た。得られた混合物をシリカＴＬＣで、展開剤として、(１：１)酢酸エチル／ヘキサンを用いて精製した。工程終了後に純粋な生成物６２ mgを得た。
【００３９】
工程４:パラ−ヘミスクシニト−１−メチル−３−フェニルプロピルアミン−Ｎ−トリフルオロアセトアミドのスクシニミジル活性エステルの製造
アセトニトリル１ mL中にパラ−ヘミスクシニト−１−メチル−３−フェニルプロピルアミン−Ｎ−トリフルオロアセトアミド４０ mgを攪拌しながら入れた。Ｎ,Ｎ'−ジスクシニミジルカーボネート４０ mgおよびピリジン６０ μlをこの溶液に添加した。得られた混合物を室温にて４時間攪拌した。反応混合物をシリカプレートで精製し、パラ−ヘミスクシニト−１−メチル−３−フェニルプロピルアミン−Ｎ−トリフルオロアセトアミドのスクシニミジル活性エステル２５ mgを得た。
【００４０】
工程５:パラ−ヘミスクシニト−１−メチル−３−フェニルプロピルアミン−Ｎ−フルオロアセトアミドのスクシニミジル活性エステルとＣy５ＥＤＡのカップリング
パラ−ヘミスクシニト−１−メチル−３−フェニルプロピルアミン−Ｎ−トリフルオロアセトアミドのスクシニミジル活性エステル２ mgを、ホウ酸緩衝液(pＨ９)０.５ ml中およびＣy５ＥＤＡ２.５ mgと混合した。この溶液を室温にて４時間攪拌し、得られた溶液を直接Ｃ１８プレートにスポットし、７０／３０−メタノール/水で展開した。生成物のバンドを切り取り、パラ−ヘミスクシニト−１−メチル−３−フェニルプロピルアミン−Ｎ−フルオロアセトアミドのスクシニミジル活性エステルとＣy５ＥＤＡのカップリング生成物をメタノールで抽出した。
【００４１】
実施例Ｖ
唾液中のアンフェタミンの流動免疫測定法
(a)試薬の製造
選択された抗−アンフェタミンモノクローナル抗体(例えば、Omega Biologicals, Inc., Bozeman, Mont.から入手可能)を、製造業社の標準プロトコルに従ってエンフェース多孔性ビーズに結合または固定し、ＧＷ３−３８、本発明の新規トレーサー(Ｆig.９)などの製造されたトレーサーおよびＧＷ５−１２、従来のトレーサー(Ｆig.１１)で飽和させた。得られた複合体混合物を一夜４℃にて回転混合させながら放置した。複合体樹脂を０.１M ＰＢＳ(10% MeOH)で安定的な基準線が得られるまで洗滌した。洗滌した樹脂を等容量の５０ mM ＰＢＳ(pH 7.4)中１５０ mMトレハロース緩衝液に添加した。樹脂を凍結−乾燥した。
【００４２】
a)流動測定法の操作
内直径２ mmおよび長さ１０ mmのミクロ−ポリスチレンカラムに製造した樹脂４ mgを充填した。充填したカラムをライフポイント免疫測定法装置の５つの流動導管の１つに取り付けた。カラムはラブビューソフト(Labview software, National Instruments, Inc.)で支持された自動システムで制御された適当な緩衝液で予−洗した。その後、試験試料５０ μlを、流速１００ μl／分、ついで０.２％ＢＳＡ／ＰＢＳ緩衝液３５０ μlを導管を通過させた。
【００４３】
b)結果
蛍光シグナルの平均強度を試料中の薬物濃度の測定のために用いた。トレーサーＧＷ３−３８およびＧＷ５−１２を用いるアンフェタミンの流動免疫測定法の比較をＦig.１４およびＦig.１５に示した。本発明の好ましいトレーサーは従来のトレーサーのほぼ１０倍(１０Ｘ)のシグナル強度を示している。
【図面の簡単な説明】
【００４４】
【図１】Ｆig.１はトレーサーの製造方法を示す。方法Ａは、出発物質として禁制薬物の使用を含み、薬物ベースのトレーサーを生成する。方法Ｂは、非−規制物質の使用を含み、薬物ベースのトレーサーを生成する。方法Ｃは、出発物質として非−規制物質を用い、非−規制物質ベースのトレーサーを生成する本発明のトレーサー合成方法を開示する。
【図２】Ｆig.２はアンフェタミンおよびメタンフェタミンの基本構造を示す。
【図３】Ｆig.３は本発明のトレーサー製造に用い得る通常の蛍光標識を示す。
【図４】Ｆig.４は本発明のトレーサー製造に用い得る通常の蛍光標識を示す。
【図５】Ｆig.５は合成新規トレーサー化合物、Ｎ−標識１−メチル−３−フェニルアルキルアミンを示す。
【図６】Ｆig.６は合成新規トレーサー化合物、標識１−メチル−３−フェニルアルキルアミンを示す。
【図７】Ｆig.７は合成新規トレーサー化合物、標識Ｎ−メチル−１−メチル−３−フェニルアルキルアミンを示す。
【図８】Ｆig.８は合成新規トレーサー化合物、Ｎ−標識Ｎ−メチル−１−メチル−３−フェニルアルキルアミンを示す。
【図９】Ｆig.９は好ましい合成新規トレーサー化合物である、標識されたパラ−ヘミスクシニト−１−メチル−３−フェニルプロピルアミン−Ｎ−トリフルオロアセトアミドのスクシニミジル活性エステルとＣy５ＥＤＡとの反応生成物を示す。
【図１０】Ｆig.１０は好ましい合成新規トレーサー化合物である、標識されたパラ−ヘミスクシニト−Ｎ−メチル−１−メチル−３−フェニルプロピルアミン−Ｎ−トリフルオロアセトアミドのスクシニミジル活性エステルとＣy５ＥＤＡとの反応生成物を示す。
【図１１】Ｆig.１１は従来の(薬物ベース)トレーサー、ＧＷ５−１２を示す。
【図１２】Ｆig.１２はp', m'およびo'−置換アンフェタミントレーサーの一般的な製造工程を記載したフローチャートを示す。
【図１３】Ｆig.１３は本発明の好ましいトレーサーの１種の合成工程を記載したフローチャートを示す。
【図１４】Ｆig.１４は、Ｆig.９に記載の好ましい非−薬物ベースのトレーサーによるアンフェタミンの流動免疫測定の結果を示す。Ｆig.１４と１５は流動免疫測定法による好ましいトレーサーのＧＷ３−３８と従来のトレーサーのＧＷ５−１２を用いるアンフェタミンの測定の比較を示す。
【図１５】Ｆig.１５は、Ｆig.１１に記載の従来の薬物ベースのトレーサーを用いるアンフェタミンの流動免疫測定の結果を示す。Ｆig.１４と１５は流動免疫測定法による好ましいトレーサーのＧＷ３−３８と従来のトレーサーのＧＷ５−１２を用いるアンフェタミンの測定の比較を示す。
【図１】
2004525359.tif 000007
【図２】
2004525359.tif 000008
【図１２】
2004525359.tif 000009
【図１３】
2004525359.tif 000010
【図１４】
2004525359.tif 000011
【図１５】
2004525359.tif 000012
【国際公開パンフレット】
2004525359.tif 000013
2004525359.tif 000014
2004525359.tif 000015
2004525359.tif 000016
2004525359.tif 000017
2004525359.tif 000018
2004525359.tif 000019
2004525359.tif 000020
2004525359.tif 000021
2004525359.tif 000022
2004525359.tif 000023
2004525359.tif 000024
2004525359.tif 000025
2004525359.tif 000026
2004525359.tif 000027
2004525359.tif 000028
2004525359.tif 000029
2004525359.tif 000030
2004525359.tif 000031
2004525359.tif 000032
2004525359.tif 000033
2004525359.tif 000034
2004525359.tif 000035
2004525359.tif 000036
2004525359.tif 000037
2004525359.tif 000038
2004525359.tif 000039
【国際公開パンフレット（コレクトバージョン）】
2004525359.tif 000040
【国際調査報告】
2004525359.tif 000041
2004525359.tif 000042